(57)【要約】【課題】展示パネルを容易かつ迅速に設置することが可能で、しかも、運搬・搬入・搬出作業が容易な展示パネル用スタンドを得る。【解決手段】展示パネル用スタンド１０では、本体部１２の裏面に回動可能に支持された支持脚３０によって本体部１２が立設支持される。また、本体部１２の下端には棒状の折畳み脚２６が本体部１２の幅方向両側へ突出して設けられているため、本体部１２の実質的な設置面積が増加し本体部１２の立設状態が安定する。さらに、本体部１２の裏面に取り付けられて両端部の突出支持部５６Ａ及び突出支持部６２Ａのみが本体部１２の前面側に突出した上ステー５０及び下ステー５２によって、展示パネル４８が本体部１２の前面側で支持される。一方、支持脚３０を本体部１２に沿って収納し、折畳み脚２６を本体部１２の幅内に収納することで、展示パネル用スタンド１０自体を小型化することができる。【選択図】    図１
2004347677.tif 000002
【特許請求の範囲】
【請求項１】
長尺板状に形成され、長手方向一端を下側にして床面に設置される本体部と、
上端が前記本体部の裏面に回動可能に支持されることで下端が前記上端を支点として前記本体部に対して接離移動可能とされ、前記下端が前記本体部から離間されて前記床面に当接した状態では前記本体部を前記床面に対して傾斜した状態で立設支持し、前記下端が前記本体部に接近された状態では前記本体部に沿って収納される支持脚と、
前記本体部の裏面と前記支持脚との間に掛け渡されて前記支持脚の回動範囲を制限する回動制限部材と、
前記本体部に取り付けられ、展示パネルを前記本体部の前面側で支持する支持手段と、
前記本体部の下端に前記本体部の幅方向両側に突出して設けられ、前記床面に当接して前記本体部の立設状態を安定させる立設安定部材と、
を備えた展示パネル用スタンド。
【請求項２】
前記立設安定部材は、前記本体部から取り外し可能な取外脚とされる、
ことを特徴とする請求項１に記載の展示パネル用スタンド。
【請求項３】
前記立設安定部材は、前記本体部の幅内に収納可能な収納脚とされる、
ことを特徴とする請求項１に記載の展示パネル用スタンド。
【請求項４】
前記支持手段は、前記本体部への取付位置を変更することで前記展示パネルの支持位置を段階的に変更可能とされる、
ことを特徴とする請求項１乃至請求項３の何れか一項記載の展示パネル用スタンド。
【請求項５】
前記支持手段は、前記本体部の裏面に取り付けられると共に両端部が前記本体部の前面側に突出して配置され、前記両端部が前記展示パネルを前記本体部の前面側で支持する支持部材とされる、
ことを特徴とする請求項１乃至請求項４の何れか一項記載の展示パネル用スタンド。
【請求項６】
前記回動制限部材は、前記支持脚が前記回動制限範囲内において前記本体部から最も離間した状態で前記支持脚を保持する保持部を有する、
ことを特徴とする請求項１乃至請求項５の何れか一項記載の展示パネル用スタンド。
【請求項７】
前記回動制限部材は、連続するバネ材を曲げて形成されると共に、前記バネ材の一部が屈曲されることで前記保持部が形成される、
ことを特徴とする請求項６記載の展示パネル用スタンド。
【請求項８】
前記本体部に設けられ、前記支持脚の下端が前記本体部に接近されて前記支持脚が収納された状態において前記支持脚を前記本体部に保持するクリップを有する、
ことを特徴とする請求項１乃至請求項７の何れか一項記載の展示パネル用スタンド。
【発明の詳細な説明】
【０００１】
【発明の属する技術分野】
本発明は、科学館、博物館、企業のショールーム、イベントの展示場等各種の展示が行なわれる場所で、展示物等に関する説明が記載された展示パネルを展示物の周辺に設置することができる展示パネル用スタンドに関する。
【０００２】
【従来の技術】
従来から、科学館、博物館、企業のショールーム、イベントの展示場等で各種の展示が行なわれる場合、一般的には展示項目を代表した特徴を有する展示物が展示台の上に置かれ、この展示物の背後等に展示物を説明する文章や写真、絵、図等が記載された展示パネル（プレゼンテーションボード）が設置されるのが通常である。
【０００３】
ところで、このような展示パネルの設置の仕方として、展示場の壁際のスペースに展示物を展示する場合には、例えば、壁際に設置した机（展示台）の上に展示物が載せられ、この展示物の背後の壁に展示パネルを掛けて展示することが行われている。
【０００４】
一方、展示スペースにおいて、展示パネルを設置するのに適した壁などがない場合には、展示台と展示パネル取付用の支持架台とが一体に構成された展示装置を用いて展示物と展示パネルとを展示することが行われている（例えば、特許文献１参照）。この特許文献１に開示されている展示装置では、展示物を載せる展示台の背面側において、展示パネル取付用の支持架台（取付板）が展示台の上面から突出して設けられており、これにより、展示物の背後に展示パネルを設置することができる構成である。
【０００５】
しかしながら、このような展示台と展示パネルの支持架台が一体になった展示装置では、展示装置自体が大型であるため、展示場への搬入・搬出作業や据え付け作業、運搬作業などが煩雑になるとった問題がある。
【０００６】
【特許文献１】
実開平５−９４８７９号公報
【０００７】
【発明が解決しようとする課題】
本発明は、上記事実を考慮し、展示台の上に置かれた展示物の周辺の最適な位置に展示パネルを容易かつ迅速に設置することが可能で、しかも、運搬・搬入・搬出作業等が容易な展示パネル用スタンドを提供することを目的とする。
【０００８】
【課題を解決するための手段】
上記課題を解決するために、請求項１記載の発明に係る展示パネル用スタンドは、長尺板状に形成され、長手方向一端を下側にして床面に設置される本体部と、上端が前記本体部の裏面に回動可能に支持されることで下端が前記上端を支点として前記本体部に対して接離移動可能とされ、前記下端が前記本体部から離間されて前記床面に当接した状態では前記本体部を前記床面に対して傾斜した状態で立設支持し、前記下端が前記本体部に接近された状態では前記本体部に沿って収納される支持脚と、前記本体部の裏面と前記支持脚との間に掛け渡されて前記支持脚の回動範囲を制限する回動制限部材と、前記本体部に取り付けられ、展示パネルを前記本体部の前面側で支持する支持手段と、前記本体部の下端に前記本体部の幅方向両側に突出して設けられ、前記床面に当接して前記本体部の立設状態を安定させる立設安定部材と、を備えたことを特徴としている。
【０００９】
請求項１記載の展示パネル用スタンドでは、長尺板状に形成された本体部が、長手方向一端を下側にして床面に設置される。この本体部の裏面には支持脚が設けられており、この支持脚は、上端が本体部の裏面に回動可能に支持されることで、下端がこの上端を支点として本体部に対して接離移動可能とされている。また、この支持脚と本体部との間には、支持脚の回動範囲を制限する回動制限部材が掛け渡されており、支持脚の下端の本体部からの離間移動が所定の範囲に制限される構成である。そして、支持脚の下端が本体部から離間されて床面に当接した状態では、この支持脚によって本体部が床面に対して傾斜した状態で立設支持される。
【００１０】
さらに、本体部の下端には、本体部の幅方向両側に突出した立設安定部材が設けられており、この立設安定部材が床面に当接する構成である。すなわち、立設安定部材によって本体部下端の見かけ上の幅方向寸法が増加することになり、本体部の実質的な設置面積が増加することになる。これにより、本体部の立設状態が安定する。
【００１１】
そして、このように本体部が立設支持された状態で、本体部に取り付けられた支持手段によって、展示パネルが本体部の前面側で支持される。
【００１２】
したがって、本展示パネル用スタンドでは、展示台の上に置かれた展示物の周辺の最適な位置（展示物の背後など）に展示パネルを容易かつ迅速に設置することができる。
【００１３】
しかも、本体部の下端に立設安定部材が設けられているため、本体部の立設状態が安定し、展示パネルを本体部に安定的に設置することができる。
【００１４】
さらに、回動制限部材によって支持脚の回動が制限されるため、支持脚の本体部に対する開脚角度を一定とすることができる。このため、本体部の床面に対する傾斜角度が一定となり、これにより、本展示パネル用スタンドを複数並べて設置する場合に、見栄え良く設置することができる。
【００１５】
一方、支持脚が本体部側へ回動され、支持脚の下端が本体部に接近された状態では、支持脚は本体部に沿って収納される。これにより、本展示パネル用スタンドの運搬時や展示場への搬入・搬出時等において、本展示パネル用スタンド自体を小型化することができ、したがって、運搬作業や展示場への搬入・搬出作業等が容易である。
【００１６】
このように、請求項１記載の展示パネル用スタンドでは、展示台の上に置かれた展示物の周辺の最適な位置に展示パネルを容易かつ迅速に設置することが可能で、しかも、運搬・搬入・搬出作業等が容易である。
【００１７】
請求項２記載の発明に係る展示パネル用スタンドは、請求項１記載の展示パネル用スタンドにおいて、前記立設安定部材は、前記本体部から取り外し可能な取外脚とされる、ことを特徴としている。
【００１８】
請求項２記載の展示パネル用スタンドでは、立設安定部材が、本体部から取り外し可能な取外脚とされている。したがって、本展示パネル用スタンドの運搬時や展示場への搬入・搬出時等においては、本体部の幅方向両側に突出した取外脚を本体部から取り外すことで、取外脚が邪魔になることが防止される。これにより、運搬・搬入・搬出作業等が更に容易になる。
【００１９】
請求項３記載の発明に係る展示パネル用スタンドは、請求項１記載の展示パネル用スタンドにおいて、前記立設安定部材は、前記本体部の幅内に収納可能な収納脚とされる、ことを特徴としている。
【００２０】
請求項３記載の展示パネル用スタンドでは、立設安定部材が、本体部の幅内に収納可能な収納脚とされている。したがって、本展示パネル用スタンドの運搬時や展示場への搬入・搬出時等においては、本体部の幅方向両側に突出した収納脚を本体部の幅内に収納することで、収納脚が邪魔になることが防止される。これにより、運搬・搬入・搬出作業等が更に容易になる。
【００２１】
請求項４記載の発明に係る展示パネル用スタンドは、請求項１乃至請求項３の何れか一項記載の展示パネル用スタンドにおいて、前記支持手段は、前記本体部への取付位置を変更することで前記展示パネルの支持位置を段階的に変更可能とされる、ことを特徴としている。
【００２２】
請求項４記載の展示パネル用スタンドでは、支持手段は、展示パネルの本体部に対する支持位置を段階的に変更可能とされている。したがって、展示パネルを本体部の最適な位置（見易い高さ）に設置することができる。
【００２３】
請求項５記載の発明に係る展示パネル用スタンドは、請求項１乃至請求項４の何れか一項記載の展示パネル用スタンドにおいて、前記支持手段は、前記本体部の裏面に取り付けられると共に両端部が前記本体部の前面側に突出して配置され、前記両端部が前記展示パネルを前記本体部の前面側で支持する支持部材とされる、ことを特徴としている。
【００２４】
請求項５記載の展示パネル用スタンドでは、支持手段とされる支持部材は、本体部の裏面に取り付けられている。この支持部材の両端部は本体部の前面側に突出して配置されており、この両端部によって展示パネルが本体部の前面側で支持される。すなわち、支持部材は、両端部のみが本体部の前面側に突出して本体部の前面側に露出しているため、本体部に見栄え良く展示パネルを設置することができる。また、支持部材は本体部の裏面側に取り付けられる構成であるため、支持部材の着脱によって本体部の前面側に傷がつくことを防止できる。
【００２５】
請求項６記載の発明に係る展示パネル用スタンドは、請求項１乃至請求項５の何れか一項記載の展示パネル用スタンドにおいて、前記回動制限部材は、前記支持脚が前記回動制限範囲内において前記本体部から最も離間した状態で前記支持脚を保持する保持部を有する、ことを特徴としている。
【００２６】
請求項６記載の展示パネル用スタンドでは、回動制限部材は、支持脚が回動制限範囲内において本体部から最も離間した状態で支持脚を保持する保持部を有している。したがって、本体部が支持脚によって立設支持された状態で、支持脚が不要に本体部側へ回動することが防止され、本体部の立設状態が安定する。
【００２７】
請求項７記載の発明に係る展示パネル用スタンドは、請求項６記載の展示パネル用スタンドにおいて、前記回動制限部材は、連続するバネ材を曲げて形成されると共に、前記バネ材の一部が屈曲されることで前記保持部が形成される、ことを特徴としている。
【００２８】
請求項７記載の展示パネル用スタンドでは、回動制限部材は、連続するバネ材を曲げて形成されたものであり、このバネ材の一部が屈曲されることで保持部が形成されている。すなわち、支持脚は、バネ材自体のバネ性によって保持される構成であるため、構成が簡単であり低コスト化を図ることができる。
【００２９】
請求項８記載の発明に係る展示パネル用スタンドは、請求項１乃至請求項７の何れか一項記載の展示パネル用スタンドにおいて、前記本体部に設けられ、前記支持脚の下端が前記本体部に接近されて前記支持脚が収納された状態において前記支持脚を前記本体部に保持するクリップを有する、ことを特徴としている。
【００３０】
請求項８記載の展示パネル用スタンドでは、支持脚の下端が本体部に接近されて支持脚が収納された状態において、支持脚は本体部に設けられたクリップによって保持される。したがって、本展示パネル用スタンドの運搬時等において、支持脚が不要に回動することが防止される。
【００３１】
【発明の実施の形態】
図１には、本発明の実施の形態に係る展示パネル用スタンド１０の前面側の構成が斜視図により示されており、図２には、本発明の実施の形態に係る展示パネル用スタンド１０の裏面側の構成が斜視図により示されている。
【００３２】
これらの図に示すように、展示パネル用スタンド１０は、金属板により長尺板状に形成された本体部１２を備えている。本体部１２は、意匠面１４と、この意匠面１４の裏面側において意匠面１４の外周縁部を補強する額縁状のフレーム部１６とを一体に有しており、意匠面１４の上部（図１において、上側の部位）には、企業名や商標などのマーク１８が描画されている。この本体部１２は、長手方向一端を下側にして床面に設置される構成である。
【００３３】
本体部１２の下端（図１において下側の端部）には、断面コ字状に形成された収納部２０が、本体部１２の下端縁に沿って固定されている。図３に示す如く、収納部２０は、底壁２２と、この底壁２２の幅方向両端から底壁２２に垂直な方向にそれぞれ延設された延設部２４とを一体に有している。この各延設部２４の間において、収納部２０の長手方向両端部には、それぞれ立設安定部材としての収納脚とされる棒状の折畳み脚２６の基端部が、ネジ２８によって取付けられている。各折畳み脚２６は、ネジ２８を支点としてそれぞれ回動可能とされている（図３の矢印参照）。
【００３４】
そして、この各折畳み脚２６が収納部２０とは反対側へ回動され、各折畳み脚２６の各先端がそれぞれ本体部１２の幅方向両側に突出した状態（図１および図２図示状態）では、各折畳み脚２６の基端側の外周にそれぞれ固定された図示しない止具が、収納部２０の底壁２２にそれぞれ当接することで、各折畳み脚２６の回動が制限されるようになっている。この回動が制限された状態では、各折畳み脚２６は、それぞれ本体部１２の長手方向に対して垂直（床面に対して平行）になるように設定されている。
【００３５】
また、各折畳み脚２６の長さは、それぞれ収納部２０の長さのおよそ半分程度に設定されており、各折畳み脚２６がそれぞれ収納部２０側へ回動されると、各折畳み脚２６は、各先端部をそれぞれ対向させて、それぞれ収納部２０の内部に収納されるようになっている。
【００３６】
一方、図２に示す如く、本体部１２の裏面側には、支持脚３０が設けられている。支持脚３０は、金属の丸棒によって略Ｖ字状に形成されており、互いに対向する中間部が金属の丸棒である補強ステー３２によって連結されている。また、この支持脚３０は、上端（図２において上側に突出した両端部）が、本体部１２の幅方向に対応して互いに反対方向に折り曲げられて、それぞれ取付部３４を形成している。この各取付部３４が本体部１２のフレーム部１６の長手方向中間部に突設された取付プレート３６の貫通孔にそれぞれ挿通されることで、支持脚３０は、本体部１２に回動可能に支持されている。そして、支持脚３０が本体部１２に回動可能に支持されることで、支持脚３０の下端は、支持脚３０の取付部３４を支点として、本体部１２に対して接離移動可能とされている。
【００３７】
また、本体部１２の裏面側において、支持脚３０の補強ステー３２と対向する位置には、フレーム部１６を互いに連結して本体部１２を補強する補強部３８が設けられている。そして、この本体部１２の補強部３８と、支持脚３０の補強ステー３２との間には、回動制限部材４０が掛け渡されている。
【００３８】
回動制限部材４０は、連続する金属のバネ材（棒材）によって形成されており、図４に示す如く、本体部１２の補強部３８に突設された支持プレート４２の貫通孔に挿通されて、この挿通前後の部分がそれぞれ支持脚３０の補強ステー３２側に折り曲げられている。そして、更にこの回動制限部材４０は、両端部がそれぞれ支持脚３０の補強ステー３２に巻き掛けられて、それぞれ本体部１２の補強部３８側へ折り返されている。この回動制限部材４０によって、支持脚３０の回動範囲が所定の範囲に制限される構成である。
【００３９】
また、支持脚３０の補強ステー３２に巻き掛けられた回動制限部材４０の両端部のうち、片方の端部は、部分的に補強ステー３２側へ屈曲して保持部４４を形成している。この保持部４４は、支持脚３０が本体部１２とは反対側へ回動されて開脚された状態（図４図示状態）において、支持脚３０が不要に本体部１２側へ戻ることを規制するものである。
【００４０】
なお、支持脚３０に本体部１２側へ向いた所定値以上の力が作用すると、補強ステー３２によって回動制限部材４０の保持部４４が押され、回動制限部材４０の保持部４４周辺の部位が弾性変形することで、補強ステー３２が保持部４４を乗り越え、支持脚３０は、取付部３４（取付プレート３６）を支点として本体部１２側へ回動する構成である。
【００４１】
支持脚３０が本体部１２側へ回動されて支持脚３０の下端が本体部に接近した状態では、支持脚３０の補強ステー３２が、本体部１２の補強部３８の下端に固定されたクリップ４６に対向するようになっている。クリップ４６は、金属により全体として板状に形成されており、側面視において略く字状に折れ曲がって上側に突出している。そして、図５に示す如く、本体部１２側へ回動された支持脚３０は、補強ステー３２がクリップ４６の突出した部分を乗り越えることで、このクリップ４２によって本体部１２に保持される構成である。なお、この状態では、支持脚３０は、本体部１２に沿った状態（本体部１２に対して平行な状態）で収納される。また、この支持脚３０が収納された状態では、本体部１２の支持プレート４２の下側に支持脚３０の補強ステー３２が配置されるため、回動制限部材４０も本体部１２に対して平行な状態となる。
【００４２】
一方、図６に示す如く、本体部１２の裏面側には、展示パネル４８を支持する支持部材（支持手段）とされる上ステー５０並びに下ステー５２が設けられている。
【００４３】
上ステー５０は、長さが異なる２種類の金属製の棒材である取付棒５４と支持棒５６とによって構成されており、本体部１２の幅方向に沿って配置されている。この取付棒５４及び支持棒５６は、平行に並んだ状態で溶接などにより固定されている。取付棒５４は、本体部１２のフレーム部１６の長手方向に沿って等間隔をもって形成された取付孔５８の本体部１２幅方向に沿った間隔（図６では、左右方向の間隔）に対応して、長手方向両端部が直角折り曲げられて取付孔５８に挿入されている。そしてさらに、この取付棒５４は、取付孔５８に挿入された両端部が本体部１２の下側に向かってそれぞれ直角に折り曲げられている。
【００４４】
また、上ステー５０の支持棒５６は、本体部１２の幅に対応して長手方向両端部が、本体部１２の前面側へ向かって直角に折り曲げられて本体部１２の前面側に突出しており、突出支持部５６Ａを形成している。この突出支持部５６Ａは、中間部が本体部１２の下側（展示パネル４８側）へ向かって折り曲げられて展示パネル４８の上端縁を支持するようになっている。
【００４５】
一方、下ステー５２は、長さが異なる２種類の金属製の棒材である取付棒６０と支持棒６２とによって構成されており、本体部１２の幅方向に沿って配置されている。この取付棒６０及び支持棒６２は、平行に並んだ状態で溶接などにより固定されている。取付棒６０は、取付孔５８の本体部１２幅方向に沿った間隔（図６では、左右方向の間隔）に対応して、長手方向両端部が直角折り曲げられて取付孔５８に挿入されている。そしてさらに、この取付棒６０は、取付孔５８に挿入された両端部が本体部１２の下側に向かってそれぞれ直角に折り曲げられている。
【００４６】
また、下ステー５２の支持棒６２は、本体部１２の幅に対応して長手方向両端部が、本体部１２の前面側へ向かって直角に折り曲げられて本体部１２の前面側に突出しており、突出支持部６２Ａを形成している。この突出支持部６２Ａは、中間部がさらに本体部１２の上側（展示パネル４８側）へ向かって折り曲げられて展示パネル４８の下端縁を支持するようになっている。
【００４７】
この上ステー５０及び下ステー５２は、それ自体を回転させながら取付孔５８に挿入された取付棒５４の両端部或いは取付棒６０の両端部を引き抜くことで、本体部１２から取外すことができる。そして、設置する展示パネル４８の大きさや、展示パネル４８の本体部１２に対する所望の支持位置（取付高さ）に応じた取付孔５８を選択して、上ステー５０の取付棒５４及び下ステーの取付棒６０を、該当する取付孔５８に挿入し、上ステー５０及び下ステー５２を本体部１２の裏面に取り付けることで、サイズの異なる展示パネル４８を支持したり、展示パネル４８の支持位置（取付高さ）を段階的に変更することが可能な構成である。
【００４８】
次に、本実施の形態の作用について説明する。
【００４９】
上記構成の展示パネル用スタンド１０では、本体部１２は、本体部１２下端の収納部２０に回動可能に取付けられた各折畳み脚２６が、収納部２０とは反対側に回動されて、各折畳み脚２６が本体部１２の幅方向両側に突出した状態で、この折畳み脚２６を下側にして床面に設置される。
【００５０】
そして、支持脚３０が本体部１２とは反対側へ回動されて（図５図示状態から図４図示状態に回動されて）支持脚３０の補強ステー３２が回動制限部材４０の保持部４４に保持されることで、支持脚３０が開脚状態となる。この状態で、支持脚３０の下端（図１において下側の端部）が床面に当接することで、この支持脚３０によって本体部１２が床面に対して所定角度傾斜した状態で立設支持される。
【００５１】
しかも、本体部１２の下端において本体部１２の幅方向両側に突出した折畳み脚２６が床面に当接する構成であるため、この折畳み脚２６によって本体部１２下端の見かけ上の幅方向寸法が増加することになり、本体部１２の実質的な設置面積が増加することになる。これにより、本体部１２の立設状態が安定する。
【００５２】
一方、このように本体部１２が支持脚３０によって立設支持された状態で、本体部１２の前面側に突出した上ステー５０の突設支持部５６Ａ、及び、本体部１２の前面側に突出した下ステー５２の突設支持部６２Ａによって、展示パネル４８が本体部１２の前面側で支持される（図１及び図２図示状態）。すなわち、上ステー５０及び下ステー５２は、それぞれ両端部に形成された突設支持部５６Ａ及び突設支持部６２Ａのみが、本体部１２の前面側に突出して本体部１２の前面側に露出しているため、本体部１２に見栄え良く展示パネル４８を設置することができる。
【００５３】
さらに、この上ステー５０及び下ステー５２は、展示パネル４８の大きさや、展示パネル４８の所望の支持位置（取付高さ）に応じて、取付位置を変更することで（該当する取付孔５８に付け替えることで）、大きさの異なる展示パネル４８を支持したり、展示パネル４８の取付高さを変更することができる。
【００５４】
したがって、本展示パネル用スタンド１０では、図示しない展示台の上に置かれた図示しない展示物の周辺の最適な位置（展示物の背後など）に展示パネル４８を容易かつ迅速に設置することができ、しかも、見栄えが良い。
【００５５】
しかも、本体部１２の下端に折畳み脚２６が本体部１２の幅方向両側に突出して設けられているため、本体部１２の立設状態が安定し、展示パネル４８を本体部１２に安定的に設置することができる。
【００５６】
さらに、回動制限部材４０によって支持脚３０の回動が制限されるため、支持脚３０の本体部１２に対する開脚角度を一定にすることができる。このため、本体部１２の床面に対する傾斜角度が一定となり、これにより、本展示パネル用スタンド１０を複数台並べて設置する場合に、見栄え良く設置することができる。
【００５７】
またさらに、上ステー５０及び下ステー５２は、取付棒５４及び取付棒６０が本体部１２裏面のフレーム部１６の取付孔５８に取り付けられる構成であるため、上ステー５０及び下ステー５２を本体部１２に着脱する際に、本体部１２前面側の意匠面１４に傷がつくことを防止できる。
【００５８】
一方、本展示パネル用スタンド１０の運搬時や展示場への搬入・搬出時等においては、支持脚３０を本体部１２側へ回動させ、支持脚３０の補強ステー３２を本体部１２の補強部３８の下端に固定されたクリップ４６に保持させることで、支持脚３０を本体部１２に沿わせて収納することができる。さらに、本体部１２下端の収納部２０にネジ２８によって回動可能に取り付けられた折畳み脚２６を、収納部２０側へ回動して収納部２０の内部に収納することで、折畳み脚２６を本体部１２の幅内に収納することができる。
【００５９】
これにより、本展示パネル用スタンド１０自体を小型化することができるため、運搬作業や展示場への搬入・搬出作業等を容易に行なうことができる。
【００６０】
しかも、支持脚３０が収納された状態では、支持脚３０が本体部１２の補強部３８の下端に固定されたクリップ４６によって保持されるため、本展示パネル用スタンド１０の運搬時等において、支持脚３０が不要に回動することが防止される。
【００６１】
なお、本展示パネル用スタンド１０は、上述した如く小型化することができるため、本展示パネル用スタンド１０を、図７に示すような収納箱７０の内部に複数台まとめて収納した状態で、運搬や保管等をする構成とすることができる。
【００６２】
図７に示す如く、収納箱７０は、展示パネル用スタンド１０を複数台収納可能な断面矩形状の箱である箱本体７２と、箱本体７２の上部に取り外し可能に設けられた蓋７４を備えている。箱本体７２の長手方向両端の対向する内壁には、それぞれ仕切棒７６が複数本（本実施の形態では、６本）固定されている。この仕切棒７６は、箱本体７２の内部に収納された複数台（本実施の形態では、５台）の展示パネル用スタンド１０が互いに干渉することを防止するものである。また、箱本体７２内部の一角には、上ステー５０や下ステー５２などの小物を収納することができる小物入れ７７が設けられている。これにより、複数台の展示パネル用スタンド１０を収納箱７０の内部に効率良く収納することができる。
【００６３】
さらに、箱本体７２の底面（図７において、下側の面）の４隅と、図７において手前側の端面の４隅、及び、図７において左側の端面の下側角隅部には、それぞれ滑車７８が固定されている。したがって、収納箱７０を平置にした状態（図７図示状態）や、横向きにした状態（図７において、手前側の端面を下側にした状態）、或いは縦向きにした状態（図７において、左側の端面を下側にした状態）、の何れの状態においても、収納箱７０を滑車７８によって容易に運搬することができる。これにより、収納箱７０をエレベータに載せる場合や、収納箱７０を狭い入口から搬入・搬出する場合などにおいても、収納箱７０の運搬が容易になる。
【００６４】
また、蓋７４の上面には、板状の突片８０が蓋７４の幅方向に沿って上面から突設されている。この突片８０は、収納箱７０が複数段に積み重ねられた際に、上側の収納箱７０の滑車７８が、下側の収納箱７０の蓋７４に当接することを防止して、上側の収納箱７０が不要に動くことを防止するものである。これにより、収納箱７０を複数段に積み重ねた状態で、安定的に運搬または保管することができる。
【００６５】
このように、上記構成の展示パネル用スタンド１０では、展示台の上に置かれた展示物の周辺の最適な位置に展示パネル４８を容易かつ迅速に設置することが可能で、しかも、運搬・搬入・搬出作業等が容易である。
【００６６】
なお、本実施の形態においては、立設安定部材として、本体部１２の幅内に収納可能な収納脚である折畳み脚２６を適用する構成としたが、これに限らず、立設安定部材としては、本体部１２から取り外し可能な取外脚としてもよい。
【００６７】
また、本実施の形態においては、立設安定部材としての収納脚である折畳み脚２６を、ネジ２８を支点として収納部２０側へ回動させることで、本体部１２の幅内に収納する構成としたが、これに限らず、収納脚は、本体部１２の幅内に収納可能で、且つ、本体部１２の下端において本体部１２の幅方向両側に突出して本体部１２の立設状態を安定させるものであればよい。
【００６８】
【発明の効果】
以上説明したように、本発明の展示パネル用スタンドによれば、展示台の上に置かれた展示物の周辺の最適な位置に展示パネルを容易かつ迅速に設置することが可能で、しかも、運搬・搬入・搬出作業等が容易である。
【図面の簡単な説明】
【図１】本発明の実施の形態に係る展示パネル用スタンドの前面側の構成を示す斜視図である。
【図２】本発明の実施の形態に係る展示パネル用スタンドの裏面側の構成を示す斜視図である。
【図３】本発明の実施の形態に係る展示パネル用スタンドの構成部材である収納脚を含む本体部下端側の構成を示す斜視図である。
【図４】本発明の実施の形態に係る展示パネル用スタンドの構成部材である支持脚を含む主要部の構成を示し、支持脚が本体部から離間された状態を示す側面図である。
【図５】本発明の実施の形態に係る展示パネル用スタンドの構成部材である支持脚を含む主要部の構成を示し、支持脚が本体部に沿って収納された状態を示す側面図である。
【図６】本発明の実施の形態に係る展示パネル用スタンドの構成部材である支持部材を含む本体部裏面側の構成を示す斜視図である。
【図７】本発明の実施の形態に係る展示パネル用スタンドが収納される収納箱を示す斜視図である。
【符号の説明】
１０  展示パネル用スタンド
１２    本体部
２６    折畳み脚（収納脚、立設安定部材）
３０    支持脚
４０    回動制限部材
４４    保持部
４６    クリップ
４８    展示パネル
５０    上ステー（支持部材、支持手段）
５２    下ステー（支持部材、支持手段）
【図１】
2004347677.tif 000003
【図２】
2004347677.tif 000004
【図３】
2004347677.tif 000005
【図４】
2004347677.tif 000006
【図５】
2004347677.tif 000007
【図６】
2004347677.tif 000008
【図７】
2004347677.tif 000009